(57)【特許請求の範囲】
【請求項１】
仕切層によって、下階居室と上階居室とに区画された一般部と、
前記仕切層よりも低位に位置するスキップ仕切層によって、低天井下階居室と低床上階居室とに区画されたスキップ部と、
上から見た場合に前記一般部と前記スキップ部との間に介在する吹抜け部と、を備えた建物であって、
前記低天井下階居室の天井面は、前記下階居室の天井面よりも低く、
前記低床上階居室の床面は、前記上階居室の床面よりも低く、
前記低床上階居室の前記吹抜け部側の縁部には、隙間を有し当該低床上階居室の床面より上方に配置された柵が設けられ、
前記柵の下端側には、前記隙間における空気の通過を制限する遮蔽材が設けられており、
前記遮蔽材は、可動式であって、剛性を有し、前記低床上階居室の床に対して支持されており、上下方向において、前記低床上階居室の床面レベルから少なくとも前記下階居室の天井面レベルまでの前記隙間を覆うことを特徴とする建物。
【請求項２】
前記遮蔽材は前記吹抜け部側から前記柵を覆う請求項１に記載の建物。
【請求項３】
前記遮蔽材は前記柵の長手方向に連続し、前記柵の複数の隙間を覆うように配置される請求項１又は２に記載の建物。
【請求項４】
前記低床上階居室は、居間であり、
前記上階居室の前記吹抜け部側の縁部には、隙間を有する柵が設けられている請求項１〜３の何れか一項に記載の建物。
【発明の詳細な説明】
【技術分野】
【０００１】
本発明は、建物に関する。
【背景技術】
【０００２】
従来の住宅として、例えば特許文献１に記載されたものがある。特許文献１に記載の建物では、通常の（一般的な）階高となるように形成された上階床部よりも低く下階床部よりも高い位置に中間床部が形成されている。この建物では、上から見た場合に、吹抜け部を挟んで対向するように、上階床部と中間床部とが配置されている。
【先行技術文献】
【特許文献】
【０００３】
【特許文献１】特開２０１２−１６７５０６号公報
【発明の概要】
【発明が解決しようとする課題】
【０００４】
上記のように中間床部に隣接して吹抜け部が形成されている建物において、中間床部と吹抜け部との間に、間仕切り壁などを設けずに、例えば縦桟状で空気の通過が可能な柵を設けた場合、冬期に、吹抜け部を通じて下階の冷たい空気が中間床部上に流れ込み、中間床部上の人が不快に感じるおそれがある。
【０００５】
本発明は、中間床部における開放的な空間を実現することができ、下階から中間床部上に流れ込む空気の流れを抑制することが可能な建物を提供することを目的とする。
【課題を解決するための手段】
【０００６】
本発明は、仕切層によって、下階居室と上階居室とに区画された一般部と、仕切層よりも低位に位置するスキップ仕切層によって、低天井下階居室と低床上階居室とに区画されたスキップ部と、上から見た場合に一般部とスキップ部との間に介在する吹抜け部と、を備えた建物であって、低天井下階居室の天井面は、下階居室の天井面よりも低く、低床上階居室の床面は、上階居室の床面よりも低く、低床上階居室の吹抜け部側の縁部には、隙間を有し当該低床上階居室の床面より上方に配置された柵が設けられ、柵の下端側には、隙間における空気の通過を制限する遮蔽材が設けられ、柵の下端側には、隙間における空気の通過を制限する遮蔽材が設けられており、遮蔽材は、可動式であって、剛性を有し、低床上階居室の床に対して支持されており、上下方向において、低床上階居室の床面レベルから少なくとも下階居室の天井面レベルまでの隙間を覆う。
【０００７】
この建物では、低床上階居室の吹抜け側の縁部には、隙間を有する柵が設けられている。この柵の下端側には、隙間における空気の通過を制限する遮蔽材が設けられているので、下階の冷気が柵の隙間を通り低床上階居室の床面上に流れ込むことが抑制される。また、柵には隙間が形成されているので、低床上階居室と吹抜け部との間での視線を確保することができる。
【０００８】
また、遮蔽材は、上下方向において、低床上階居室の床面レベルから下階居室の天井面レベルまでの隙間を覆っていてもよい。これにより、下階から流入する冷気を効果的に抑制することができる。
【０００９】
また、遮蔽材は可動式であり、当該遮蔽材によって覆われる隙間の大きさを変更可能な構成としてもよい。これにより、空気の流れ込みを抑制したい場合には、遮蔽材によって覆う隙間の面積を大きくすることができ、空気の流れを許容可能な場合には、遮蔽材によって覆う隙間の面積を小さくすることができる。
【００１０】
また、遮蔽材は、剛性を有し、低床上階居室の床に対して支持されている構成でもよい。これにより、低床上階居室の床面に配置された物が吹抜け部に落下することを防止できる。
【００１１】
柵は、一定の間隔で配列され上下方向に延在する複数の桟材を備えた手摺である構成でもよい。複数の桟材を備えた手摺が設けられていると、遮蔽材による隙間の遮蔽を解除した場合に、桟材間の隙間を通じて室内の空気を好適に流通させて、室内の空気の流れを促進することができる。また、一定の間隔で配列された複数の桟材を備える構成では、隣り合う桟材間の隙間を通じて、視線を確保することができる。
【００１２】
また、遮蔽材は、複数の桟材に対して支持されている構成でもよい。これにより、遮蔽材を支持する位置を複数確保することができるので、遮蔽材を安定して支持することができる。遮蔽材は吹抜け部側から柵を覆ってもよい。遮蔽材は柵の長手方向に連続し、柵の複数の隙間を覆うように配置される構成でもよい。
【００１３】
また、低床上階居室は、居間として利用してもよい。人が長時間過ごす居間として低床上階居室を利用することができる。上階居室の吹抜け部側の縁部には、隙間を有する柵が設けられていてもよい。
【発明の効果】
【００１４】
本発明によれば、低床上階居室において開放的な空間を実現することができ、下階から低床上階居室に流れ込む空気の流れを抑制することができる。
【図面の簡単な説明】
【００１５】
【図１】一実施形態に係る住宅の１階平面図である。
【図２】一実施形態に係る住宅の２階平面図である。
【図３】図１におけるＩＩＩ−ＩＩＩ線に沿った断面図である。
【図４】図１におけるＩＶ−ＩＶ線に沿った断面図である。
【図５】一実施形態に係る住宅の階層を示す断面図である。
【図６】スキップ仕切層の吹抜け部側の縁部に設けられた手摺及び遮蔽材を示す正面図である。
【図７】図６におけるＶＩＩ−ＶＩＩ線に沿った断面図である。
【図８】建物内の気流を説明するための図であり、図８（ａ）は手摺の隙間が覆われていない状態の気流を示す図であり、図８（ｂ）は遮蔽材によって手摺の一部の隙間が覆われている状態の気流を示す図である。
【発明を実施するための形態】
【００１６】
以下、図面を参照しつつ、本発明に係る建物の実施形態について詳細に説明する。なお、図面の説明において同一又は相当要素には同一符号を付し、重複する説明は省略する。
【００１７】
図１は、一実施形態に係る住宅の１階平面図である。図２は、一実施形態に係る住宅の２階平面図である。図３は、図１におけるＩＩＩ−ＩＩＩ線に沿った断面図である。図４は、図１におけるＩＶ−ＩＶ線に沿った断面図である。本実施形態では、部屋の配置説明を容易にするため、図１及び図２中の上方向を北側として説明する。
【００１８】
住宅（建物）１は、南側が例えば道路に接し、他の３方向は隣地に接した敷地Ｓに建造されている。敷地Ｓの南西の角部分には、玄関ポーチＰが設けられたアプローチＡが配置されている。敷地Ｓの北東側の領域には、ウッドデッキＷが設置されている。また、敷地Ｓの南側には、道路に接したカーポートＣが配置されている。
【００１９】
住宅１は、外周壁２に囲まれた略矩形状の陸屋根形式の２階建て建物である。住宅１は、標準的な家族構成である、夫婦と２人の子供とからなる４人家族の居住を想定した間取りになっている。
【００２０】
続いて、住宅１の構造について詳細に説明する。住宅１は、１階床ＦＦを有する１階と、２階床ＳＦと有する２階と、中間床ＭＦを有する中間階と、を有している。中間床ＭＦは、１階床ＦＦと２階床ＳＦとの中間的高さに位置している。
【００２１】
図５は、住宅の階層を示す断面図である。住宅１、仕切層５１によって上下に区切られた下階居室５２及び上階居室５３を有する一般部５４と、仕切層５１よりも低位に位置するスキップ仕切層５５によって上下に区切られた低天井下階居室５６及び低床上階居室５７を有するスキップ部５８と、上から見た場合に一般部５４とスキップ部５８との間に介在する吹抜け部２５とを備えている。
【００２２】
仕切層５１は、図示しない鉄骨梁を有し下階居室５２と上階居室５３とを区切っている。住宅１では、下階居室５２は子供部屋９であり、上階居室５３はダイニングキッチン３０である。スキップ仕切層５５は、仕切層５１よりも低位に位置する鉄骨梁を有し低天井下階居室５６と低床上階居室５７とを区切っている。住宅１では、低天井下階居室５６は書斎１１であり、低床上階居室５７はリビングルーム（居間）である。
【００２３】
また、低天井下階居室５６の天井面５６ａ（スキップ仕切層５５の底面）は、下階居室５２の天井面５２ａよりも低くなっている。また、低床上階居室５７の床面５７ａ（スキップ仕切層５５の天面）は、上階居室５３の床面５３ａよりも低く、下階居室５２の天井面５２ａよりも低くなっている。
【００２４】
［１階の構成］
最初に、住宅１の１階について図１を参照しながら説明する。図１に示すように、住宅１の１階には、玄関３、シューズクローゼット４、玄関ホール５、廊下６、主寝室７、ウォークインクローゼット８、子供部屋９、書斎１１、多目的室１３、トイレ１５、及び収納スペース１７が形成されている。１階の天井高は、床が低く設定された領域（玄関３、書斎１１及び多目的室１３）を除き、例えば２４００ｍｍ程度である。
【００２５】
玄関３は、南西の角部に配置されている。玄関３は、外周壁２により屋外（外部）に設けられた玄関ポーチＰと区画されている。外周壁２には、玄関ドア３ａが設けられている。玄関３は、玄関ドア３ａにより、玄関ポーチＰと出入り可能とされている。玄関３の床３ｆは、玄関ポーチＰの床と段差なく連続しており、タイル等の土足歩行可能な床材で仕上げられている。また、玄関３の床３ｆレベルは１階床ＦＦよりも２００ｍｍ弱低く設定されている。
【００２６】
シューズクローゼット４は、玄関３に隣接して配置されており、玄関３の土間を形成する床３ｆから段差なく連続する床４ｆを有する。玄関３とシューズクローゼット４との間の間仕切り壁には、ドア４ａが設けられている。
【００２７】
玄関ホール５は、玄関３に隣接して配置されている。玄関ホール５と玄関３との間には、間仕切り壁等の仕切りはなく、玄関ホール５と玄関３とは連続した一体の空間を構成する。玄関ホール５の床５ｆにおける、玄関３の床３ｆとの境界部（段差部）には上がり框が設けられている。
【００２８】
廊下６は、玄関ホール５に対し連続的に配置されている。玄関ホール５と廊下６との間の間仕切り壁には、ドア５ａが設けられている。このドア５ａは玄関３及び玄関ホール５と他の空間とを遮断し空調効果を高めるものである。廊下６は、玄関ホール５から北側に南北方向に沿って延びると共に、北側の端部から略９０°屈曲して東側に向かって東西方向に沿って延びており、平面視において略Ｌ字形状を呈している。廊下６により、玄関ホール５、主寝室７、子供部屋９、多目的室１３、トイレ１５及び収納スペース１７が互いに連絡可能とされている。
【００２９】
主寝室７は、北西の角部に配置されている。主寝室７は、夫婦の寝室として使用され、ベッド、鏡台等が設置される。主寝室７の北側の外周壁２には窓７ａが、東側の外周壁２には窓７ｂが夫々設けられている。主寝室７と廊下６との間の間仕切り壁には、ドア７ｃが設けられている。
【００３０】
ウォークインクローゼット８は、主寝室７の南側に隣接して配置されており、内部の壁面に沿ってハンガーパイプや棚板が設置されている。主寝室７とウォークインクローゼット８との間の間仕切り壁には、ドア８ａが設けられている。
【００３１】
子供部屋９は、北東の角部に配置されている。子供部屋９は、２人の子供の学習や就寝の場として使用される。子供部屋９の中央部には、例えば、可動式の収納家具ＣＬが配置されている。収納家具ＣＬにより、子供部屋９は２つの空間に区画されており、夫々の空間にベッドと勉強机が設置される。なお、子供部屋９は将来的に可動式の収納家具を壁際に移動して一つの空間として使用することも可能である。
【００３２】
子供部屋９の北側の外周壁２には、窓９ａ，９ｂが設けられている。窓９ａ，９ｂは、東西方向において所定の間隔をあけて配置されており、子供部屋９とウッドデッキＷとを出入り可能に連絡している。子供部屋９の南側において廊下６に面する部分には、天地丈の４枚引きのドア（建具）９ｃが設けられている。ドア９ｃを構成する４枚の障子は夫々独立した溝に沿って東西方向にスライド可能であり、全ての障子が一端に寄せられることにより、３枚分を開放することができる。子供部屋９における２つの空間は夫々１枚以上の障子に面しており、夫々の空間には他方の空間を経由することなく出入りすることができる。ドア９ｃの面材は、透光性及びある程度（人の気配は感じ取れる程度）の透視性を有する部材からなり、本実施形態では半透明のアクリルパネルである。
【００３３】
書斎１１は、南東の角部に配置されている。書斎１１は、後述する中間床ＭＦの下方に位置している。書斎１１は、１階床ＦＦよりも所定寸法（例えば、４００ｍｍ程度）低い床１１ｆを有している。書斎１１の南側の外周壁２には、東西方向において所定の間隔をあけて同一仕様の２つの窓１１ａ，１１ｂが設けられている。書斎１１と多目的室１３との間の間仕切り壁には、天地丈の３枚引きのドア１１ｃが設けられている。ドア１１ｃを構成する各障子の構成は、高さ寸法を除きドア９ｃを構成する障子と略同一である。また、書斎１１と玄関ホール５との間の間仕切り壁には、ドア１１ｄが設けられている。書斎１１の南側には、外周壁２の内面に沿って、東西方向に延在するカウンター１１ｅが設けられている。カウンター１１ｅは、床座の際の座卓、椅子座の際の腰かけ或いは飾り棚等として利用が可能な高さに設定されている。書斎１１の北西側には、収納スペース１１ｇが配置されている。
【００３４】
多目的室１３は、東側で且つ子供部屋９と書斎１１との間に配置されている。多目的室１３の床１３ｆは、書斎１１の床１１ｆと同じ高さであり、書斎１１の床１１ｆと面一で連続している。多目的室１３の東側の外周壁２には、窓１３ａが設けられている。窓１３ａは、床１３ｆに居住者が座ったときに、目線の高さ位置となるところに配置されている。また、多目的室１３の東側の外周壁２の内面に沿って、南北方向に延在するカウンター１３ｂが設けられている。カウンター１３ｂは、床座の際の座卓、椅子座の際の腰かけ或いは飾り棚等として利用が可能な高さ、且つ、窓１３ａの下端部の高さ位置と略同等となるように設定されている。多目的室１３の上方は、南側の領域は後述する吹抜け部２５となっている。
【００３５】
子供部屋９のドア９ｃと書斎１１のドア１１ｃとを開放すると、子供部屋９、多目的室１３及び書斎１１は、連続した一体的な空間となる。これにより、書斎１１から子供部屋９（或いは子供部屋９から書斎１１）を見渡すことができる。
【００３６】
トイレ１５は、１階の中央部であり、後述する上階段２９の下の空間に配置されている。収納スペース１７は、廊下６を挟んでトイレ１５の向かい側、且つウォークインクローゼット８に隣接して配置されており、廊下６側に折れ戸形式の扉が設置されている。
【００３７】
［中間階の構成］
続いて、住宅１の中間階について図２を参照しながら説明する。図２に示すように、中間階は、中間床ＭＦ（低床上階居室５７の床面５７ａ）の上の空間に形成されている。中間床ＭＦは、住宅１の南東の角部において、２階床ＳＦ（上階居室５３の床面５３ａ）が設けられていない矩形状の領域Ｒの一部に矩形状に形成されており、図３に示すように、２階床ＳＦよりも所定寸法（例えば、８００ｍｍ程度）低い位置に形成されている。２階床ＳＦが設けられていない領域Ｒは、平面視において略矩形状を呈している。図２に示すように、住宅１の中間階には、リビングルーム２０（低床上階居室５７）が形成されている。
【００３８】
リビングルーム２０は、書斎１１（低天井下階居室５６）の上方に位置している。図３に示すように、リビングルーム２０の天井面２０ａは、２階のダイニングキッチン３０（後述）の天井面３０ａと同じ高さとされている。リビングルーム２０の天井高（中間床ＭＦから天井面２０ａまでの高さ寸法）は、例えば３２００ｍｍ程度である。
【００３９】
図２に示すように、リビングルーム２０には、例えば、ソファＦ及びテレビボードＶＢ等が配置されている。東側の外周壁２から西側の下階段２７（後述）にかけて、リビングルーム２０の北側の縁部に沿って手摺（柵）２０ｂが設けられている。手摺２０ｂの高さは、居住者（例えば、夫婦）の腰の高さ位置程度（例えば中間床ＭＦから９００ｍｍ程度）とされている。手摺２０ｂは、所定の間隔で配列された複数の桟材を備えている。また、手摺２０ｂの下端側には、後述する遮蔽材６０が設けられている。
【００４０】
リビングルーム２０の南側の外周壁２には、開閉自在な窓２１が設けられている。窓２１は、リビングルーム２０（住宅１）内への採光及び通風が可能な採光通風窓である。窓２１は、２階床ＳＦの高さ位置近傍からリビングルーム２０の天井面２０ａ近傍までの高さを有する。詳細には、窓２１の下端部は、２階床ＳＦよりも１８０ｍｍ程度高い位置（中間床ＭＦから９８０ｍｍ程度高い位置）に設定され、窓２１の上端部は、天井面２０ａよりも７０ｍｍ程度低い位置（中間床ＭＦから２１３０ｍｍ程度高い位置）に設定されている。窓２１の幅は、２８００ｍｍ程度であり、リビングルーム２０の南側の外周壁２の略全体にわたって設けられている。この窓２１は、２階の居室部分に一般的に用いられるものである。
【００４１】
窓２１は、略全開放型の折り畳み窓である。窓２１は、ガラスと枠体とを有する複数（本実施形態では４枚）の障子２１ａ，２１ｂ，２１ｃ，２１ｄと窓枠とにより構成されている。４枚の障子２１ａ〜２１ｄのうち、２枚の障子２１ａ，２１ｂ及び２１ｃ，２１ｄ（窓２１の幅方向の端部に位置する障子２１ａ及び２１ｄとその内側に位置する障子２１ｂ及び２１ｃ）は、ヒンジ（蝶番）で連結されており、障子体（窓部）２１Ａ，２１Ｂをそれぞれ構成している。つまり、窓２１は、２組の障子体２１Ａ，２１Ｂと窓枠とにより構成されている。
【００４２】
障子２１ａ〜２１ｄは、東西方向に沿ってスライド可能に設けられている。障子体２１Ａ，２１Ｂは、図２に示すように、それぞれを両端部側にスライドさせると障子２１ａ〜２１ｄが外側に突出して折り畳まれ、それぞれ一端部に寄せられる。具体的には、障子体２１Ａ，２１Ｂにおいては、各障子２１ａ〜２１ｄの上枠及び下枠の端部（ヒンジで連結されていない側）寄りの位置からは軸部材が上方向及び下方向に突設しており（合計４本の軸部材）、軸部材が窓枠の上下のレール部に回転及び摺動自在に噛み合うことで、障子体２１Ａ，２１Ｂのスライド及び外側に突出させて折り畳むことが可能となっている。２組の障子２１ａ，２１ｂ及び２１ｃ，２１ｄは一端に寄せることも、両端に振り分けることも可能とされている。
【００４３】
リビングルーム２０の南側の外周壁２の外側には、庇２２が配置されている。庇２２は、窓２１の上端近傍に配置されており、外周壁２から外側に突出している。庇２２の外周壁２からの突出寸法は、窓２１が開けられたとき、すなわち障子２１ａ〜２１ｄが外側に突出したときの障子２１ａ〜２１ｄの外周壁２からの突出寸法と略同等とされている。つまり、庇２２の先端２２ａは、障子２１ａ〜２１ｄが外側に突出したときの先端の位置に略一致している。また、庇２２の幅寸法は、窓２１の幅寸法と略同等とされている。
【００４４】
図２及図４に示すように、リビングルーム２０とベランダ３６とを区画する外周壁２には、窓２３が設けられている。窓２３は、透明なガラスを有する横すべり出し窓である。窓２３の下端部は、中間床ＭＦから１２００ｍｍ程度高い位置（２階床ＳＦよりも４００ｍｍ程度高い位置）に設定され、窓２３の上端部は、中間床ＭＦから２０００ｍｍ程度高い位置（２階床ＳＦから１２００ｍｍ程度高い位置、天井面２０ａから１２００ｍｍ程度低い位置）に設定されている。つまり、窓２３は、外周壁２において、ベランダ３６から見て下端側に配置されている。また、窓２３の上端部は、後述するベランダ３６に設けられた物干し金物３７ａ，３７ｂの取り付け位置よりも下方に設定されており、窓２３の南側（ベランダ３６から窓２３を見た場合の右側）の端部は、図２（図５も参照）に示すように、後述するベランダ３６に設けられた物干し金物３７ａ，３７ｂの先端部よりも北（外観視で左）に位置している。
【００４５】
リビングルーム２０の北側には、吹抜け部２５が形成されている。吹抜け部２５は、２階床ＳＦが設けられていない領域Ｒにおいて、中間床ＭＦが形成されていない領域に設けられている。詳細には、吹抜け部２５は、上から見た場合に、リビングルーム２０と子供部屋９との間に位置し、東側の領域は１階の多目的室１３の上方に位置している。図３に示すように、吹抜け部２５の天井面２５ａは、リビングルーム２０の天井面２０ａと同じ高さとされている。すなわち、リビングルーム２０の天井面２０ａ、吹抜け部２５の天井面２５ａ及びダイニングキッチン３０の天井面３０ａは、全て同じ高さとされており、略面一となっている。
【００４６】
リビングルーム２０から北側を見下ろすと、吹抜け部２５を介して、子供部屋９のドア９ｃを視認することができ、ドア９ｃが開放されている場合に子供部屋９内部の様子が伺えるのはもちろん、ドア９ｃが閉鎖されている場合も、面材が半透明のアクリルパネルからなるので、子供部屋９内部の様子をぼんやりと視認することができる。
【００４７】
吹抜け部２５内の西側には、１階床ＦＦと中間床ＭＦとを連絡する下階段２７と、中間床ＭＦと２階床ＳＦとを連絡する上階段２９と、が形成されている（吹抜け部２５は下階段２７及び上階段２９が形成された領域も含む概念である）。下階段２７は、直線状の階段であり、１階の廊下６と中間階（リビングルーム２０）とを連絡する。
【００４８】
上階段２９は、下階段２７の西側に下階段２７と桁側面（長辺）同士が隣接するように配置されており、中間階（リビングルーム２０）と２階（ダイニングキッチン３０）とを連絡する。上階段２９は、２階床ＳＦに連続し且つ２階床ＳＦと面一に延在する平坦部分２９ａと、平坦部分２９ａの南側の端部と中間床ＭＦとを直線的に連結する傾斜部分２９ｂと、を有する。平坦部分２９ａは、踊り場として機能する。
【００４９】
［２階の構成］
続いて、住宅１の２階について図２を参照しながら説明する。図２に示すように、住宅１の２階には、ダイニングキッチン３０と、ユーティリティ室３２と、浴室３４と、ベランダ３６と、ベランダ４０と、トイレ４２と、が形成されている。
【００５０】
ダイニングキッチン３０は、２階の北側に配置されている。ダイニングキッチン３０は、２階床ＳＦ上の空間に形成された居室である。ダイニングキッチン３０は、１階の主寝室７及び子供部屋９の上方に位置している。図３に示すように、ダイニングキッチン３０の天井面３０ａの高さ寸法は、２階床ＳＦから２４００ｍｍ程度とされている。ダイニングキッチン３０の天井面３０ａは、リビングルーム２０の天井面２０ａ及び吹抜け部２５の天井面２５ａと同じ高さとされている。これにより、リビングルーム２０、吹抜け部２５及びダイニングキッチン３０は、一体的な空間となっている。ダイニングキッチン３０から南側を見ると、吹抜け部２５を介して、リビングルーム２０は見下ろす位置に配置されている。
【００５１】
ダイニングキッチン３０に北東側の外周壁２には、東西方向に沿って所定の間隔をあけて同一の構成の３つの窓３０ｂ，３０ｃ，３０ｄが並設されている。ダイニングキッチン３０の東側の外周壁２には、南北方向に沿って所定の間隔をあけて同一の構成の２つの窓３０ｅ，３０ｆが並設されている。
【００５２】
ダイニングキッチン３０は、東西方向に延在しており、東側に食堂スペース３０ｇが設けられている。食堂スペース３０ｇには、例えばダイニングセットＤが配置されている。ダイニングキッチン３０の西側には、台所スペース３０ｈが設けられている。台所スペース３０ｈには、キッチンセット（厨房設備）３１が配置されている。キッチンセット３１は、アイランド型であり、南側を向いて作業するようにシンクや加熱調理機器（ＩＨクッキングヒーター、ガスコンロ等）が配置されている。
【００５３】
ダイニングキッチン３０の北側（キッチンセット３１の北側）には、冷蔵庫置き場（冷蔵庫）３０ｉ、家電品置場を兼ねた食器棚３０ｊが配置されている。冷蔵庫置き場３０ｉは、キッチンセット３１の加熱調理機器の北側に配置されている。食器棚３０ｊは、ダイニングキッチン３０の北側の外周壁２の内面に沿って、東西方向に延在している。ダイニングキッチン３０の南西側には、食品や飲料等を収納するパントリー３０ｋが配置されている。パントリー３０ｋの東側には、パントリー３０ｋに隣接して収納棚３０ｎが配置されている。ダイニングキッチン３０の西側及び北側には、アイロンがけ等の家事や子供の学習などに使用できる作業スペース３０ｌが配置されている。作業スペース３０ｌには、カウンター３０ｍが設けられている。ダイニングキッチン３０の南側において吹抜け部２５に面する縁部には、透視性を有する手摺３０ｑが設けられている。手摺３０ｑとしては、透明のアクリルパネルやガラスパネルからなるもの、或いは、所定の間隔で配列された複数の桟材からなるものを用いることができる。
【００５４】
ユーティリティ室３２は、２階の南西側に配置されている。詳細には、ユーティリティ室３２は、ダイニングキッチン３０の南側で、且つ、リビングルーム２０の西側に配置されている。ユーティリティ室３２は、平面視において略Ｌ字形状を呈している。詳細には、ユーティリティ室３２は、ダイニングキッチン３０から南側に向かって南北方向に延在する第１スペース３２Ａと、第１スペース３２Ａの南側の端部から西側に向かって東西方向に延在する第２スペース３２Ｂとを有している。
【００５５】
ユーティリティ室３２とダイニングキッチン３０との間の間仕切り壁には、ドア３２ａが設けられている。ドア３２ａ（ユーティリティ室３２の入口）を開放した状態で、居住者がキッチンセット３１の加熱調理機器の前に立つと、ユーティリティ室３２内及び後述するベランダ３６を見渡すことができる。ユーティリティ室３２には、洗濯機置き場３２ｂと、洗面化粧台３２ｃと、収納スペース３２ｄと、が配置されている。
【００５６】
洗濯機置き場３２ｂは、洗濯機を配置するスペースであって、給排水設備を備え、第２スペース３２Ｂの西側の突き当りに配置されている。洗面化粧台３２ｃは、第１スペース３２Ａの南側に位置し、洗濯機置き場３２ｂに対向する位置に配置されている。収納スペース３２ｄは、第１スペース３２Ａの北側で洗面化粧台３２ｃに隣接して配置されている。
【００５７】
浴室３４は、ダイニングキッチン３０とユーティリティ室３２の第２スペース３２Ｂとの間に配置されている。浴室３４には、南側にドア３４ａが設けられている。ドア３４ａは、浴室３４とユーティリティ室３２の第２スペース３２Ｂとを出入り可能に連絡している。浴室３４には、西側にバスタブ３４ｂが配置されている。浴室３４の西側の外周壁２には、窓３４ｃが設けられている。
【００５８】
ベランダ（外部室）３６は、南西の角部に配置されている。ベランダ３６は、ユーティリティ室３２及びリビングルーム２０に隣接している。ベランダ３６とユーティリティ室３２との間の外周壁２には、掃出しタイプの窓３６ａが設けられている。窓３６ａにより、ユーティリティ室３２とベランダ３６とが出入り可能に連絡されている。図４に示すように、ベランダ３６の上方は陸屋根３８で覆われ、当該陸屋根３８の下面には軒天井３８ａが設けられている。軒天井３８ａにおけるリビングルーム２０の外周壁２側の部分は、陸屋根３８及び軒天井３８ａが矩形状に取り除かれて陸屋根３８を貫通する開口部３９が形成されている。ベランダ３６の西側の縁部には、手摺３６ｂが設けられている。
【００５９】
図２に示すように、ベランダ３６には、物干し設備として物干し金物３７ａ，３７ｂが設けられている。物干し金物３７ａ，３７ｂは、物干し竿を挿通したりハンガー等を引っ掛けたりするための複数の孔を有し、外部壁２ａの内側面において東西方向で所定の間隔をあけて北側に向かって突出するように設けられている。物干し金物３７ａ，３７ｂの床３６ｆからの高さ寸法は、例えば１８００ｍｍ程度である。つまり、物干し金物３７ａ，３７ｂは、窓２３の上端部よりも上方に位置している。この構成により、洗濯物が物干し金物３７ａ，３７ｂに支持された物干し竿に掛けられたときに、例えば、シャツ等の比較的丈の短い洗濯物が窓２３の上端部よりも上方に位置する。また、物干し金物３７ａ，３７ｂの先端部の位置は、窓２３の南側（外部壁２ａ側）の端部よりも北に位置している。
【００６０】
図２に示すように、ベランダ４０は、北西の角部に配置されている。ベランダ４０とダイニングキッチン３０との間の外周壁２には、掃出しタイプの窓４０ａが設けられている。窓４０ａは、ダイニングキッチン３０とベランダ４０とを出入り可能に連絡している。ベランダ４０の西側の縁部には、手摺４０ｂが設けられている。
【００６１】
図２に示すように、トイレ４２は、北側においてダイニングキッチン３０に隣接して配置されている。
【００６２】
住宅１の外周壁２の南西の角部には、庇４６が設けられている。庇４６は平面視でＬ字状であり、玄関ポーチＰを覆うように配置されている。外周壁２における子供部屋の窓９ａ，９ｂの上方の位置には、庇４８が設けられている。庇４８は、ウッドデッキＷを覆うように配置されている。外周壁２における主寝室７の窓７ａ上方の位置には、庇５０が設けられている。
【００６３】
［遮蔽材の構成］
続いて、手摺２０ｂの下端側に設けられた遮蔽材６０について説明する。図６は、スキップ仕切層５５の吹抜け部２５側の縁部に設けられた手摺２０ｂ及び遮蔽材６０を示す正面図であり、図７は、図６におけるＶＩＩ−ＶＩＩ線に沿った断面図である。図６（ａ）及び図７（ａ）では、遮蔽材６０によって手摺２０ｂの下端側の隙間６１が覆われている状態を示し、図６（ｂ）及び図７（ｂ）では、隙間６１が覆われていない状態を示している。
【００６４】
スキップ仕切層５５の吹抜け部２５側の縁部に設けられた手摺２０ｂは、上下方向に延在する複数の桟材２０ｃを備え、複数の桟材２０ｃは手摺２０ｂの長手方向に一定の間隔で配置されている。手摺２０ｂの上端部２０ｄ及び下端部２０ｅは、手摺２０ｂの長手方向に延在する板状の部材で形成されている。上端部２０ｄは、複数の桟材２０ｃの上端同士を連結し、下端部２０ｅは、複数の桟材２０ｃの下端同士を連結している。隣り合う２本の桟材２０ｃの間には隙間６１が形成され、この隙間６１を通じて空気の流通が可能である。なお、複数の桟材２０ｃの間隔は、等間隔でなくてもよい。
【００６５】
また、手摺２０ｂの下端側には、隙間６１における空気の通過を制限する遮蔽材６０が設けられている。遮蔽材６０は、例えばプラスチック、木材などからなる板状の部材によって形成され、遮蔽材６０の長手方向は、手摺２０ｂの長手方向に沿って配置されている。遮蔽材６０は、東側の外周壁２から下階段２７の腰壁手摺２７ａまで配置されている。
【００６６】
遮蔽材６０は、隙間６１を覆っている状態において、低床上階居室５７の床面５７ａのレベルから下階居室５２の天井面５２ａのレベルまでを覆うように形成されている（図５参照）。
【００６７】
遮蔽材６０は可動式であり、遮蔽材６０のスキップ仕切層５５側の端部は、ヒンジ（蝶番）によってスキップ仕切層５５に連結されて揺動可能となっている。遮蔽材６０は、手摺２０ｂの下端側の隙間６１を覆っている状態では、手摺２０ｂの吹抜け部２５側で、床面５７ａから上方に延びるように配置され、隙間６１を覆っていない状態では、スキップ仕切層５５の吹抜け部２５側の端面５５ａに対向するように、床面５７ａのレベルから垂れ下がるように配置されている。
【００６８】
また、遮蔽材６０には、遮蔽材６０を桟材２０ｃに対して固定するためのフック（不図示）が設けられている。遮蔽材６０が隙間６１を覆っている状態において、フックを桟材２０ｃに引っ掛けることで、遮蔽材６０を固定することができる。また、遮蔽材６０は、所定の剛性を有し、低床上階居室５７の床面５７ａ上の物が桟材２０ｃ間の隙間６１を通じて、吹抜け部２５から下方に落下すること防止することができる。
【００６９】
［建物内の気流について］
続いて、住宅１内の気流について説明する。冬期において暖房使用時の住宅１内の気流について説明する。具体的には、１階（下階居室５２、低天井下階居室５６）では暖房を使用せず、低床上階居室５７において暖房を使用している場合について説明する。低床上階居室５７における暖房設備としては、床暖房、床置式機器（ファンヒーター、ストーブ）等の床面近傍を暖めるものが挙げられる。まず、図８（ａ）を参照して、隙間６１が覆われていない状態の気流について説明し、次に、図８（ｂ）を参照して、隙間６１が遮蔽材６０によって覆われている状態の気流について説明する。
【００７０】
図８（ａ）は、隙間６１が覆われていない状態の気流を示している。低床上階居室５７において、床面近傍の空気が暖められて、上昇気流が生じる。上昇気流は、低床上階居室５７の天井面２０ａ近傍で流れの向きが変わり、天井面２０ａ，２５ａに沿って上階居室５３に向かって流れる。天井面２０ａ，２５ａ，３０ａに沿って流れた空気が、暖まっていない天井面や壁面に触れ温度が下がることで、下降気流が発生する。下降気流が床面５３ａ近傍まで下降すると、流れの向きが変わり、床面５３ａに沿って流れる。
【００７１】
上階居室５３の床面５３ａに沿って流れた空気は、吹抜け部２５側の縁部で手摺３０ｑの隙間を通過して、吹抜け部２５内に流れ、やや下向きに流れて低床上階居室５７の床面５７ａ上に流れ込む。このとき、吹抜け部２５を通過する気流は、吹抜け部２５を通過する際に、より下方の空気を巻き込んで低床上階居室５７に流れ込む。下階居室５２の天井面５２ａのレベルより下の空気は、１階の冷えた空気であり、この冷たい空気が低床上階居室５７に流れ込むことで、低床上階居室５７にいる人は冷気を不快に感じることがある。
【００７２】
次に、遮蔽材６０によって隙間６１が覆われている場合について説明する。図８（ｂ）は、隙間６１が遮蔽材６０によって覆われている状態の気流を示している。図８（ｂ）に示される場合においても、低床上階居室５７の床面近傍の空気が暖められ、上昇気流が生じ、この上昇気流は、天井面２０ａに当たって流れの向きが変えられて、上階居室５３に向かって流れる。天井面２０ａ，２５ａ，３０ａに沿って上階居室５３に流れ込んだ空気が、暖まっていない天井面や壁面に触れ温度が下がることで下降気流が発生する。下降気流は、床面５３ａ近傍まで下降すると、流れの向きが変えられ、床面５３ａに沿って流れる。
【００７３】
上階居室５３の床面５３ａに沿って流れた空気は、吹抜け部２５側の縁部で手摺３０ｑの隙間を通過して、吹抜け部２５内に流れ込むが、隙間６１が遮蔽材６０によって覆われているので、隙間６１を通過することができない。そのため、吹抜け部２５を通過した空気は、遮蔽材６０より上方の隙間の部分を通り抜けて、低床上階居室５７の床面５７ａ上に流れ込む。このように、吹抜け部２５側から低床上階居室５７に流れ込む空気の位置を上方へずらすことができ、下階居室５２の天井面５２ａより下方の１階の冷たい空気を巻き込むおそれを減らすことができる。その結果、１階の冷気が低床上階居室５７の床面５７ａ上への流れ込むことが抑制されるので、低床上階居室５７にいる人が不快に感じることが防止される。
【００７４】
以上説明したように、本実施形態に係る住宅１では、手摺２０ｂの下端側には遮蔽材６０が設けられ、遮蔽材６０によって手摺２０ｂの下端側の隙間６１を覆うことができるので、空気の通過を制限することができる。これにより、吹抜け部２５から低床上階居室５７の床面５７ａに流れ込む空気の位置を上方にずらすことができ、１階の冷たい空気の低床上階居室５７への流れ込みを抑制することができる。その結果、低床上階居室５７にいる人が冷気によって不快に感じることが抑制される。
【００７５】
また、遮蔽材６０が可動式であり、手摺２０ｂの下端側の隙間６１を覆う必要がない場合には、遮蔽材６０を揺動させてスキップ仕切層５５の吹抜け部２５側の端面５５ａに対向する位置に待避させることができる。これにより、例えば夏期などにおいて、通気性を確保した場合には、遮蔽材６０を待避させて、手摺２０ｂの隙間６１を通じて流れる空気の流量を増やすことができる。
【００７６】
また、低床上階居室５７の吹抜け部２５側の縁部には、複数の桟材２０ｃを備えた手摺２０ｂが設けられているので、低床上階居室５７のリビングルーム２０から下階居室５２の子供部屋９を確認することができる。また、リビングルーム２０から手摺２０ｂの隙間を通じて吹抜け部２５及びダイニングキッチン３０を見ることができるため、開放的で一体的な空間を形成することができる。
【００７７】
上記実施形態において示した寸法は、一形態を例示するものであり、変更が可能である。
【００７８】
本発明は、前述した実施形態に限定されず、本発明の要旨を逸脱しない範囲で下記のような種々の変形が可能である。
【００７９】
例えば、手摺２０ｂの下端部２０ｅは、低床上階居室５７の床面５７ａ上に載置されているものに限定されず、床面５７ａから上方に離間した位置に配置されているものでもよい。このような構成において、遮蔽材６０は、手摺２０ｂの下端部２０ｅと床面５７ａとの間の隙間を覆うように配置されているものでもよい。遮蔽材６０は、柵の下端側の隙間を通過する空気の流れを抑制するものであればよく、柵の下端側の隙間とは、柵の下端部近傍の隙間を含み、柵の下端部よりも下方の隙間を含む。
【００８０】
上記実施形態では、遮蔽材６０がスキップ仕切層５５に支持されて揺動可能な構成である場合について説明しているが、遮蔽材６０はスキップ仕切層５５以外に支持されるものでもよく、例えば、手摺２０ｂに支持されるものでもよく、外周壁２に固定されるものでもよく、階段の腰壁手摺２７ａなどその他の部位に支持されるものでもよい。
【００８１】
また、遮蔽材６０は、スライド移動可能なものでもよく、例えば、外周壁２及び腰壁手摺２７ａに設けられたガイドレールに沿って、上下方向にスライド移動可能なものでもよく、遮蔽材６０の長手方向（水平方向）にスライド移動可能なものとしてもよい。また、手摺２０ｂの長手方向に延在する軸周りに回動可能な遮蔽材６０として、遮蔽材６０の回動角度を変えて、隙間６１を通過する空気の流量を制限しうるようにしてもよい。
【００８２】
また、遮蔽材６０を、着脱式として、手摺２０ｂ等に取り付けて空気の流れを制限し、空気の流れを促進したい場合には取り外すようにしてもよい。
【００８３】
また、遮蔽材６０は、布状あるいはシート状の部材によって形成されたものでもよい。この場合、カーテンのように遮蔽材６０をガイドレールに沿って移動させて開閉するようにしてもよく、ロールスクリーンのように、遮蔽材６０を巻き取ったり引き出したりするようにしてもよい。この際、遮蔽材６０の巻き取り（引き）方向は、上下方向でもよく、水平方向でもよい。
【００８４】
また、遮蔽材６０は、複数の桟材２０ｃに対して支持されている構成でもよい。この構成によれば、遮蔽材６０を支持する位置を複数確保することができるので、遮蔽材６０を安定して支持することができる。
【００８５】
また、遮蔽材６０は、通気を完全に遮断するものでなく、開口（空隙）を有し空気の通過がある程度可能なものでもよい。この際、遮蔽材６０の開口率は、例えば０〜３５％でもよい。遮蔽材６０の開口率とは、遮蔽材６０の厚さ方向と直交する表面積に対する開口の面積の割合である。また、遮蔽材６０の通気度は、例えば０〜６５０ｃｃ／ｃｍ２・ｓｅｃでもよい。また、遮蔽材６０は、手摺２０ｂにおける吹抜け部２５に面する側ではなく、低床上階居室５７に面する側に設けてもよい。また、下階段２７の接続部分（下階段２７を昇りきった位置）に遮蔽材６０を設けてもよく、この場合、外周壁２と腰壁手摺２７ａとの間に設けられる遮蔽材６０と連続したものでも、独立したものでもよく、独立して設ける場合は両者が全く別の形態であってもよい。
【００８６】
また、上記実施形態では、遮蔽材６０は上下方向において、低床上階居室５７の床面レベルから下階居室５２の天井面５２ａまでを覆うように配置されているが、遮蔽材は、上下方向において、低床上階居室５７の床面レベルから下階居室５２の天井面５２ａまでの一部を覆うものでもよい。また、遮蔽材６０上端の位置が下階居室５２の天井面５２ａを超えるものであってもよい。また、遮蔽材は手摺２０ｂの長手方向において、東側の外周壁２から腰壁手摺２７ａまでの全長を覆うものでもよく、部分的に手摺２０ｂの隙間６１を覆うものでもよい。
【００８７】
また、上記実施形態では、手摺２０ｂは複数の桟材２０ｃで構成され、隣り合う２本の桟材２０ｃの間には隙間６１が形成されたものであるが、例えば、パネル状あるいは腰壁状の手摺（柵）に対して、スリット状あるいは小窓状の隙間（開口部）を設けたものであってもよい。
【００８８】
また、上記実施形態では、手摺２０ｂの上端部２０ｄの高さを低床上階居室５７の床面５７ａから例えば９００ｍｍとしているが、柵の上端部は、床面５７ａから９００ｍｍを超える高さに配置されているものでもよく、床面５７ａから９００ｍｍ未満の高さに配置されているものでもよい。
【００８９】
また、手摺２０ｂの桟材２０ｃは板状のものに限定されず、円柱状など、その他の棒状のものでもよい。また、桟材が延在する方向は、上下方向に限定されず、水平方向でもよく、斜めに配置されているものでもよい。また、手摺２０ｂの上端部２０ｄ及び下端部２０ｅは、板状のものに限定されず、円柱状など、その他の棒状のものでもよい。
【００９０】
また、上記実施形態では、下階居室５２を子供部屋９とし、上階居室５３をダイニングキッチン３０とし、低天井下階居室５６を書斎１１とし、低床上階居室５７をリビングルーム２０としているが、下階居室５２、上階居室５３、低天井下階居室５６及び低床上階居室５７は、その他の用途に使用される部屋でもよい。例えば、低床上階居室５７を、子供部屋として利用してもよく、書斎として利用してもよい。
【００９１】
また、上記実施形態では、下階を１階、上階を２階としているが、例えば、下階を２階とし、上階を３階としてもよい。例えば、下階を、地下に設けてもよい。
【００９２】
また、上記実施形態では、建物を住宅として説明しているが、建物は住宅に限定されず、例えば、病院、福祉施設、オフィス、宿泊施設、集合住宅など、その他の建物でもよい。
【符号の説明】
【００９３】
１…住宅（建物）、９…子供部屋（下階居室）、１１…書斎（低天井下階居室）、２０…リビングルーム（低床上階居室）、２０ｂ…手摺（柵）、２０ｃ…桟材、２５…吹抜け部、３０…ダイニングキッチン（上階居室）、５１…仕切層、５２…下階居室、５３…上階居室、５４…一般部、５５…スキップ仕切層、５６…低天井下階居室、５６ａ…低天井下階居室の天井面、５７…低床上階居室、５８…スキップ部、６０…遮蔽材、６１…隙間。
【図１】
0006444624.tif 000002
【図２】
0006444624.tif 000003
【図３】
0006444624.tif 000004
【図４】
0006444624.tif 000005
【図５】
0006444624.tif 000006
【図６】
0006444624.tif 000007
【図７】
0006444624.tif 000008
【図８】
0006444624.tif 000009